(57)【要約】      （修正有）【課題】  被補助者本人又は介護人に頼ることなくリハビリ訓練ができる、小型軽量で持ち運び、取り扱いの簡単な五指関節リハビリ介護訓練装置を提供する。【解決手段】  五指関節リハビリ介護訓練装置１の操作と一対で利用する介護用ミトン形状手袋２３の装着と取り外しが簡単で、往復装置への結合部分も二ヶ所と少なく簡単に装着できる本装置と腕部分を幅広面ファスナー１９で固定した後はコントローラーで往復スライド板の調整をする。電源を入力すると静かにゆっくりと往復スライド板が往復運動を繰り返すと介護用ミトン形状手袋内の全体の掌と五指関節の指が静かに開く握るの動作を繰り返す。【選択図】    図８
2006087705.tif 000002
【特許請求の範囲】
【請求項１】
五指関節リハビリ介護訓練装置は電動ギアモーターで伝ヱ車    から大型ギアに伝動する大型ギアの外輪部にピンを立て固定する往復スライド板の一端にスライド横溝穴を開け、そこの大型ギアのピンが入るギアの回転で往復スライド板が往復運動する往復スライド板に両手の介護手袋用に併用できる二本のサイズ調整保持装置を設けるこのサイズ調整保持装置の上面に多数の長方形の穴を開けその内部に多数のフックを連立し開閉ツマミと連動する装置と凹面の大型ホック付き親指作動ベルトを装着する周辺に多数の調整穴を開けるそして腕置き固定台に幅広マジックベルトとその手前に横溝穴を開ける装置の上部に回数ケッカーとスライド式のコントローラーと左右に緊急停止用のスイッチを取り付ける。
【請求項２】
両手の五指関節リハビリ介護訓練に利用する介護用ミトン形状手袋は甲の中央部分を割り開き被補助者の麻痺した指を装着し易くした形状の手袋であるこの介護用ミトン形状手袋先端に親指用凸面大型フックを固定する又四本の指を入れた手袋の先端に保持留金を固定し手首ベルトの裏面に固定突起を設ける。
【請求項３】
請求項１記載の五指関節リハビリ介護訓練装置と一対で利用する請求項２記載の介護用ミトン形状手袋の上部に大きく番号を記入するリハビリ訓練を要する被補助者の手に装着する親指先端の大型ホックの凸面を往復スライド板上の親指作動ベルトに固定した大型ホックの凹面と結合させる後は四本の指を入れた手袋の先端に固定した保持留金を手袋の適応サイズに合う所のサイズ調整保持装置の側面に介護手袋のサイズ適応番号を記入サイズ番号部分と結合し開閉ツマミで固定する手首ベルトの裏面の固定突起と腕置き固定台の横溝穴に固定すると装置と介護用の手袋が左右前後に動くことなく安定する後は幅広マジックベルトで腕部分を固定する。
【請求項４】
請求項２記載の介護用ミトン形状手袋に被補助者の手を入れ手首ベルとを装着裏面の固定突起を横溝穴に装着する幅広マジックベルトで腕部分を固定する被補助者の五指を入れた介護用ミトン形状手袋と結合した往復スライド板は左右前後に動くことなく安定する被補助者の体調に合わせ往復スライド板の速さをコントローラーで調整し電源入力をすると被補助者の五指を入れた介護用手袋と結合した往復スライド板は静かにゆっくり往復運動を開始すると同時に被補助者の掌も五指関節全体が静かにゆっくり開く握る又開くのを繰り返しを重ねるリハビリ介護訓練装置。
【発明の詳細な説明】
【技術分野】
【０００１】
本発明は脳卒中、脳梗塞の病気で半身不随の被補助者の麻痺した掌と五指関節の手に装着する介護用ミトン形状手袋と一対で利用する五指関節リハビリ介護訓練装置に関するものである。
【背景技術】
【０００２】
日本は高齢者社会、現在６５歳以上の年配者が占める割合が１９％と多く高齢者は年々機能が低下していく。前日まで元気で働いていた体が一瞬に自由を失う脳卒中、脳梗塞では半身不随等で片手が麻痺するなど早急のリハビリ訓練が必要となる。リハビリをしないと麻痺硬直が進行し全く手が動かなくなる危険性がある。従来のリハビリ介護器具として例えば（「特開平７−２８９５８９」）又手指連動補助具（「特開平１１−２５３５０４」）の上肢作動補助装置のような機構を要するものもある。また身体障害のある人々のリハビリ訓練装置には大がかりな機械や高価な介護器具が多く、またリハビリ訓練には病院等の特定の場所に通わなければならず障害者は非常に不便を感じている。従来家庭でリハビリ訓練が行われる持ち運びの小型の五指関節リハビリ訓練装置の開発が望まれてきた。
【発明の開示】
【発明が解決しようとする課題】
【０００３】
脳卒中、脳梗塞の被補助者の麻痺した掌に五指関節のリハビリ訓練をしないと徐々に麻痺、硬直が進行するため毎日のリハビリ訓練が必要であるが被補助者自身がパニックとストレスがありリハビリ訓練がままならないのが現状である。従来までは五本の指を一本一本動かすリハビリ訓練であった。そこで被補助者のリハビリ訓練を補う五指関節リハビリ介護訓練装置の開発が急がれた。
【０００４】
上記課題を解決する方法として本発明の五指関節リハビリ介護訓練装置の小型軽量化の開発をこの装置と一対で利用する介護用手袋の開発であった。脳卒中、脳梗塞の病気に侵された被補助者の五指関節は麻痺し感覚がなく常に握った状態の指に簡単に装着させられる介護用ミトン形状手袋の開発である。甲の中央部分を割り開き被補助者の親指を除いた四本の指を入れ閉じてマジックベルトで固定する方法である。
【発明の効果】
【０００５】
本発明は軽量小型で持ち運び又取り扱いを簡単にした病院のベッドの上でも家庭でＴＶを見ながらテーブルの上でも、介護者の手を借りず、被補助者自身が介護用ミトン形状手袋を装着、五指関節リハビリ介護訓練装置の往復スライド板上に被補助者の介護手袋を置き二ヶ所の突起と横溝穴の互いの結合部分の装着と本体装置に腕部分を置き幅広マジックベルトで固定する簡単装着後は電源入力で往復スライド板が往復運動すると同時に介護用ミトン形状手袋内の被補助者の親指を始め掌から人差し指、中指、薬指、小指の五指関節全体が静かにゆっくりと開きそして握る又開く、この動作をリハビリ介護訓練装置が麻痺、硬直部分をもみほぐし、リハビリ訓練を体調に合わせ繰り返し重ねていくことで自然に血行が回復し健康であった時の潜在意識と病気を克服する治癒力が高まってくる。繰り返しリハビリ訓練で自然に少しずつ握力も回復し、自分の身の回りのことが出来ることで家族の負担が軽減され、寝たきり防止、早期の職場復帰、手の怪我のリハビリ訓練に又痴呆防止装置にもなる装置の提案である。
【課題を解決するための手段】
【０００６】
上記目的を達成する手段として被補助者が介護人に頼ることなく五指関節リハビリ介護訓練装置の操作と一対で利用する介護用ミトン形状手袋の装着と取り外しを簡単に出来る介護用ミトン形状手袋を往復装置への結合部分も二ヶ所と少なく簡単装着を鑑みて本装置と腕部分を幅広マジックベルトで固定する後はコントローラーで往復スライド板の調整をする。電源入力すると静かにゆっくりと往復スライド板が往復運動を繰り返すと介護用ミトン形状手袋内の全体の掌と五指関節の指が静かに開く握るの繰り返しを重ねるリハビリ介護訓練装置の提供である。
【発明を実施するための最良の形態】
【０００７】
上記のように構成された五指関節リハビリ介護訓練装置は軽量と小型の装置にすることで従来まで病院等の特定の場所だけのリハビリ訓練であったものを、家庭でＴＶを見ながらテーブルの上でもどこでも被補助者が手軽にリハビリ介護訓練が出来る装置を提供するものである。
【実施例】
【０００８】
以下、この発明の実施例を図面に基づいて説明する。１．の五指関節リハビリ介護訓練装置は２．のギアモーターで３．の伝工車と４．の大型ギアの外輪部に５．のピンを立て固定する６．のギア支え板である。７．の往復スライド板の一端に８．のスライド作動機構を開けそこに大型ギアのピンを入れ大型ギアの回転で往復スライド板が往復運動する装置である９．の滑車で往復スライド板と１０．のレールを円滑にする。往復スライド板の往復運動の時に空間が出来る１１．の裏カバーで防ぐ、１２．のサイズ調整保持装置の内部には１３．の固定フックが一定間隔に連立した一部に角穴開きの２５．の保持留金が入れ１４．の開閉レバーで固定する。１５．の凹面大型フック付き親指作動ベルトを装着し１６．の調整穴を多数開ける。１７．の腕置き固定第二８．の横溝穴を設ける１９．の幅広マジックベルトである。装置表面に２０．のコントローラーと２１．の回数チェッカーを設置し装置の左右２ヶ所に２２．のスイッチ装置を固定する。２３．の介護用ミトン形状手袋でこの手袋の構造は被補助者の麻痺した手を簡単に入れるため甲の部分を大きく割り開き手を手袋に入れてから２４．のマジックテープで固定する。介護用ミトン形状手袋の先端に２５．の留金を固定する。２６．の親指用凸面大型ホックと２７．の手首ベルトにその裏面に２８．の固定突起を固定した介護用ミトン形状手袋のリハビリ介護装置への取り付けは手袋の親指先端に固定した親指用凸面大型ホックと凹面大型ホック同士を結定する。さらに介護手袋に固定した保持留金をサイズ調整保持装置のサイズ番号の適合部分に入れ開閉レバーで固定する。手首ベルトの裏面の固定突起を横溝穴に装着し幅広ベルトで腕部分を押さえることで本装置と介護手袋は左右前後に動かず安定する。このように４ヶ所の最も簡単な本装置への結合方法である。被補助者の体調に合わせ往復運動の速さをコントローラーで調整した後に電源入力をすると往復スライド板が静かにゆっくりと往復運動を開始すると同時に介護用ミトン形状手袋に入れた被補助者の掌と五指関節全体の指が開く握る又開くリハビリ訓練の往復の指運動を何回も繰り返し重ねていくことで自然に血行が良くなり、健康であった時の潜在意識と病気を克服する治癒力が高まり、麻痺、硬直を始めた五指関節をもみほぐし少しずつ徐々に握力等も回復してくる。自分の身の回りの事が出来ることで家族の負担も軽減される、寝たきり防止、早期職場復帰、怪我のリハビリ治療、痴呆防止、予防に装置の提供である。
【図面の簡単な説明】
【０００９】
【図１】本発明に係る五指関節リハビリ介護訓練装置の平面図である。
【図２】本発明に係る伝ヱ車と大型ギアとピンを装着した往復スライド板の動きを点線で示した平面図である。
【図３】本発明に係る伝ヱ車と大型ギアとピンを往復スライド板上面に固定したサイズ調整保持装置と親指作動ベルトの取り付けを示す側面図及び断面図である。
【図４】本発明に係る大型ギアに固定したピンが往復スライド板を腕置き固定台の下に引き込んだ状態の側面図及び断面図である。
【図５】本発明に係るサイズ調整保持装置固定フックが開放し保持留金を入れた所を示す側面図及び断面図である。
【図６】本発明に係るサイズ調整保持装置固定フックに入れた保持留金を固定フックで固定した所を示す側面図及び断面図である。
【図７】本発明に係るサイズ調整保持装置に介護用ミトン形状手袋の保持留金を装着し往復スライド板とレールを示す斜面図及び断面図である。
【図８】本発明に係る被補助者の手に介護用ミトン形状手袋の固定突起部分と腕置き固定台の横溝穴に装着し本装置に腕と手を開いた状態を示す側面図及び一部断面図である。
【図９】本発明に係る介護用ミトン形状手袋に入れた手の、握った状態を示す側面図及び一部断面図である。
【図１０】本発明に係る介護用ミトン形状手袋の甲部分を割り開き被補助者の手を入れた所を示す平面図である。
【符号の説明】
【００１０】
１．五指関節リハビリ介護訓練装置
２．ギアモーター
３．伝ヱ車
４．大型ギア
５．ピン
６．ギア支え板
７．往復スライド板
８．スライド作動機構
９．滑車
10．レール
11．裏カバー
12．サイズ調整保持装置
13．固定フック
14．開閉レバー
15．凹面大型ホック付き親指作動ベルト
16．調整穴
17．腕置き固定台
18．横溝穴
19．幅広マジックベルト
20．コントローラー
21．回数チェッカー
22．スイッチ
23．介護用ミトン形状手袋
24．マジックテープ
25．保持留金
26．親指用凸面大型ホック
27．手首ベルト
28．固定突起
【図１】
2006087705.tif 000003
【図２】
2006087705.tif 000004
【図３】
2006087705.tif 000005
【図４】
2006087705.tif 000006
【図５】
2006087705.tif 000007
【図６】
2006087705.tif 000008
【図７】
2006087705.tif 000009
【図８】
2006087705.tif 000010
【図９】
2006087705.tif 000011
【図１０】
2006087705.tif 000012